(57)【特許請求の範囲】
【請求項１】
可視蛍光撮影用励起照明光及び赤外蛍光撮影用励起照明光を選択的に被検眼眼底に照射する眼底照明手段と、前記励起照明光の眼底からの反射光束を遮断し、前記励起照明光により発生する可視蛍光、赤外蛍光の双方を透過させる透過特性を有するフィルター手段を介して被検眼眼底を撮像手段に撮像させる撮影系と、前記撮影系から分岐した光路を経由し、前記可視蛍光の帯域及び前記赤外蛍光の帯域の双方の帯域に対して透過性を有するとともに前記可視蛍光撮影用励起照明光の帯域の一部の帯域及び前記赤外蛍光撮影用励起照明光の帯域の一部の帯域に対しても透過性を有する観察用のフィルター手段を介して被検眼眼底を観察可能とした観察系を有することを特徴とする眼底検査装置。
【発明の詳細な説明】
【０００１】
【産業上の利用分野】
本発明は、眼科医院等にて用いられる眼底カメラ等の眼底検査装置に関するものである。
【０００２】
【従来の技術】
従来の可視蛍光撮影と赤外蛍光撮影を行える眼底検査装置では、例えば特開平４ー１９７３３７に記載されているように、可視蛍光撮影用励起照明光と赤外蛍光撮影用励起照明光との双方を透過させる透過特性を有するエキサイタフィルターを照明光学系に、励起された可視蛍光と赤外蛍光との双方を透過させる透過特性を有するバリアフィルターを撮影系に設け、１台のカメラで赤外蛍光撮影、または可視蛍光撮影、さらにはそれらを同時に行うように構成されたものが知られている。
【０００３】
【発明が解決しようとしている課題】
しかしながら、特開平４ー１９７３３７の場合には、このような構成のために、常に可視、赤外両方の励起照明光を被検眼に照射することになり、被検者に余分な負担を強いることになる。その結果、流涙やアライメントずれを生じ画質が低下するという欠点を有する。
【０００４】
これを避けるためにエキサイタフィルターとバリアフィルターをそれぞれ可視蛍光撮影用と赤外蛍光撮影用に切り替える構成としたのでは、撮影を切り替える度に一々両方の交換を行わなければならず面倒且つ複雑である。
【０００５】
本発明は、上述従来例に鑑み、被検者には余分な負担を強いることなく且つ扱いやすい簡素な構成で、可視蛍光撮影と赤外蛍光撮影を実行できる眼底検査装置を提供することを目的とする。
【０００６】
【課題を解決するための手段及び作用】
上記目的を達成するため、本出願に係る第１の発明の眼底検査装置は、可視蛍光撮影用励起照明光及び赤外蛍光撮影用励起照明光を選択的に被検眼眼底に照射する眼底照明手段と、前記励起照明光の眼底からの反射光束を遮断し、前記励起照明光により発生する可視蛍光、赤外蛍光の双方を透過させる透過特性を有するフィルター手段を介して被検眼眼底を撮像手段に撮像させる撮影系と、前記撮影系から分岐した光路を経由し、前記可視蛍光の帯域及び前記赤外蛍光の帯域の双方の帯域に対して透過性を有するとともに前記可視蛍光撮影用励起照明光の帯域の一部の帯域及び前記赤外蛍光撮影用励起照明光の帯域の一部の帯域に対しても透過性を有する観察用のフィルター手段を介して被検眼眼底を観察可能とした観察系を有することを特徴する。
【０００８】
【実施例】
図１は、本発明の第１実施例の眼底カメラの説明図である。
【０００９】
図中、１は、ランプ等の観察、アライメント用光源、２はコンデンサーレンズ、３はストロボ光源等の静止画撮影用光源、４はコンデンサーレンズ、５はミラー、６はリング状の開口を有する絞り、７はリレーレンズである。
【００１０】
８ａ、８ｂはそれぞれ、ＦＡＧ（ｆｌｕｏｒｅｓｃｅｎｔ  ａｎｇｉｏｇｒａｐｈｙ）用、ＩＣＧ（ｉｎｄｏｃｙａｎｉｎ  ｇｒｅｅｎ）用、即ちそれぞれ可視蛍光撮影用、赤外蛍光撮影用のエキサイタフィルターである。
【００１１】
９はリレーレンズ、１０は穴あきミラ−、１１は対物レンズ、１２は合焦のための可動レンズ、１３は撮影レンズ、１４は撮影の瞬間光路外に退避する跳ね上げミラー、１５はミラー、１６はフィールドレンズ、１７はレンズである。
【００１２】
１８は静止画撮影用のバンドパスフィルタである第１のバリアフィルター、１９は動画観察用のバンドパスフィルタである第２のバリアフィルターである。
【００１３】
２０はスチルビデオカメラ等の静止画撮影用の第１のカメラ、２１はテレビカメラ等の動画観察用の第２のカメラである。
【００１４】
２２、２３はモード選択スイッチ、２４はアライメント用モニター、２５は撮影スイッチ、２６は制御用回路、２７は再生用モニター、Ｅは被検眼、Ｅｐは被検眼瞳孔、Ｅｒは被検眼眼底である。
【００１５】
この構成において、対物レンズ１１から第１のカメラ２０までは、第１の撮影光学系を構成し、跳ね上げミラー１４から、第２のカメラ２１までは、観察用の第２の撮影光学系を構成する。
【００１６】
この眼底カメラにより、ＦＡＧ撮影（可視蛍光撮影）をする場合について説明する。まず、モード選択スイッチ２２によりＦＡＧモードを選択する。すると、ＦＡＧ用のエキサイタフィルター８ａが、光路内に挿入される。
【００１７】
ＦＡＧ用のエキサイタフィルター８ａの、分光透過特性を図２、及び図３に示す。図２、図３の縦軸は透過率Ｔ、横軸は光波長である。図２、図３において８ａで示した実線がエキサイタフィルター８ａの分光透過特性である。また８ｂで示した実線はＩＣＧ用エキサイタフィルター８ｂの分光透過特性である。
【００１８】
光源１を発した光束はコンデンサーレンズ２、ストロボ３、コンデンサーレンズ４を通り、ミラー５により上方に反射され、被検眼前眼部共役な絞り６のリング状の開口、リレーレンズ７、ＦＡＧ用のエキサイタフィルター８ａ、リレーレンズ９を経由し、被検眼前眼部共役な穴あきミラー１０のミラー部により左方に反射され、対物レンズ１１を通り、被検眼瞳孔Ｅｐより眼底Ｅｒを照明する。
【００１９】
このように照明された眼底からの反射光は、瞳孔Ｅｐより、対物レンズ１１、穴あきミラー１０の穴部、可動レンズ１２、撮影レンズ１３を通り、跳ね上げミラー１４により上方に反射され、さらにミラー１５により右方に反射され、フィールドレンズ１６、動画観察用の第２のバリアフィルター１９、レンズ１７を通り、動画観察用の第２のカメラ２１の撮像面に結像する。この像は、ビデオ信号に変換されモニター２４に映出される。
【００２０】
動画観察用の第２のバリアフィルター１９の分光透過特性を図２に破線１９１、１９２で示す。この図に示すように、このバリアフィルター１９は、ＦＡＧ用のエキサイタフィルター８ａ挿入時に蛍光剤静注後の眼底より発生する可視蛍光を透過する第１の透過帯１９１と、ＩＣＧ用のエキサイタフィルター８ｂ挿入時に蛍光剤静注後の眼底より発生する赤外蛍光を透過する第２の透過帯１９２を有する。さらに、図２中、Ａ、Ｂに示すように、これらの透過帯１９１、１９２は、ＦＡＧ、ＩＣＧ用のエキサイタフィルター８ａ、８ｂを透過した励起光そのものをもわずかに透過する特性を有するように設定されている。
【００２１】
蛍光剤を静注する前には蛍光像が出現しないため、この状態では図２に８ａで示す透過帯のエキサイタフィルター８ａを透過した励起光の反射の内、（第２のバリアフィルター１９で大部分がカットされるものの）Ａで示す透過帯の光束のみで形成する像がモニター２４に映出されることになる。
【００２２】
検者は、この像を見て撮影部位、アライメント、ピントの状態を確認する。これらが、良好であることを確認した後、被検者に蛍光剤を静注する。蛍光剤が眼底に循環してくると、蛍光像が出現する。この蛍光像は、第２のバリアーフィルター１９の第１の透過帯１９１を透過するため、モニター２４には、前記赤外の眼底像に重ねあわされて蛍光像が映し出される。
【００２３】
このようにして、蛍光像の出現を確認した後、検者は、撮影スイッチ２８を操作する。これにより、跳ね上げミラー１４は光路外に退避するとともにストロボ光源３が発光する。ストロボ光源３を発した光束は、光源１を発した光と同様の光路を通り、エキサイタフィルター８ａの透過帯の波長の光で眼底を照明する。このように照明された眼底から発する蛍光は、瞳孔Ｅｐより、対物レンズ８、穴あきミラー１０の穴部、可動レンズ１２、撮影レンズ１３、第１のバリアーフィルター１８を経て、静止画撮影用の第１のカメラ２０の撮像面に結像する。
【００２４】
第１のバリアフィルター１８ａの分光透過特性を図３に破線１８１、１８２で示す。このように、このバリアーフィルター１８ａは、図３に８ａで示すＦＡＧ用のエキサイタフィルター８ａを透過した励起光を遮断し、ＦＡＧ用のエキサイタフィルター８ａを透過した励起光によって眼底より発生する蛍光のみを透過するため、第１のカメラ２０の撮像面には蛍光像のみが結像する。
【００２５】
この像は、電気信号に変換された後、デジタル信号に変換され、制御用回路２６中のメモリーに記憶されると同時に即時再生用モニター２７に表示される。検者は、以上の動作を繰り返しＦＡＧ撮影を終了する。
【００２６】
次に、赤外蛍光撮影（ＩＣＧ撮影）について説明する。まず、モード選択スイッチ２３によりＩＣＧモードを選択する。するとＩＣＧ用エキサイタフィルター８ｂを光路上に挿入する。
【００２７】
このような配置において、ＦＡＧ撮影の場合と同様に、光源１を発した光束はコンデンサーレンズ２、ストロボ３、コンデンサーレンズ４を通り、ミラー５により上方に反射され、絞り６のリング状の開口、リレーレンズ７を経由する。そして今度は、ＩＣＧ用のエキサイタフィルター８ｂを通過し、リレーレンズ９を通り、穴あきミラー１０のミラー部により左方に反射され、対物レンズを通り、被検眼瞳孔Ｅｐより眼底Ｅｒを照明する。
【００２８】
このように照明された眼底像は、瞳孔Ｅｐより、対物レンズ１１、穴あきミラー１０の穴部、可動レンズ１２、撮影レンズ１３を通り、第１の跳ね上げミラー１４により上方に反射され、さらにミラー１５により右方に反射され、フィールドレンズ１６、動画観察用のバリアーフィルター１９、レンズ１７を通り、動画観察用の第２のカメラ２１の撮像面に結像する。この像は、ビデオ信号に変換されモニター２４に映出される。
【００２９】
図２には前述のようにＩＣＧ用エキサイタフィルター８ｂの透過帯を実線８ｂで示してある。また、動画観察用のバリアーフィルター１９の分光透過特性も透過帯を破線１９１と１９２で示してある。この図中にＢで示すようにこれらのフィルターは、共通の透過帯を有する。したがって、ＦＡＧ撮影の時と同様、蛍光像が出現しない蛍光剤を静注する前の状態では、カメラ２１の撮像面にはこの共通の透過帯の光によって眼底像が結像する。
【００３０】
検者は、モニター２４に映ったこの像を見て撮影部位、アライメント、ピントの状態を確認する。これらが、良好であることを確認した後、被検者に蛍光剤（インドシアニングリーン）を静注する。
【００３１】
蛍光剤が、眼底に循環してくると、蛍光像が出現する。この蛍光像は、バリアーフィルター１９の第２の透過帯１９２を透過するため、モニター２４には、前記赤外の眼底像に重ねあわせて蛍光像が映し出される。
【００３２】
このようにして、蛍光像の出現を確認した後、検者は、撮影スイッチ２８を操作する。これにより、跳ね上げミラー１４は光路外に退避するとともにストロボ光源３を発光する。ストロボ光源３を発した光束は、光源１を発した光と同様の光路を通り眼底を照明する。このように照明された眼底像は、瞳孔Ｅｐより、対物レンズ８、穴あきミラー１０の穴部、可動レンズ１２、撮影レンズ１３を経由し、この蛍光の波長を透過する透過帯１８２を有するバリアーフィルター１８を通り、静止画撮影用の第１のカメラ２０の撮像面に結像する。
【００３３】
図３に示すように、このバリアーフィルター１８は、励起光の反射光は透過せず、蛍光のみを透過するため、撮像面には蛍光像のみが結像する。
【００３４】
この像は、電気信号に変換された後、デジタル信号に変換され、制御用回路２６中のメモリーに記憶されると同時に即時再生用モニター２７に表示される。検者は、以上の動作を繰り返しＩＣＧ撮影を終了する。
【００３５】
反射像と蛍光像とでは、同一照明光に対する強度がまったく異なる、そこで、反射像と蛍光像とを同時に観察するために、本実施例では図２のＡ、Ｂに示すように反射像の一部のみ取り出すようにエキサイタフィルターとバリアフィルターの波長透過域を設定し、反射像と蛍光像とを同程度または、蛍光像のほうが少し強くなる程度にしている。このように設定すると両方を観察し易い。
【００３６】
前記実施例においては、ＦＡＧ撮影時には、可視蛍光用の励起光の反射光の一部を用い動画観察を行い、ＩＣＧ撮影時には、赤外蛍光用の励起光の反射光の一部を用いて動画観察を行ったが、エキサイタフィルターに動画観察用の透過波長帯を設け、その透過光を利用して観察アライメントを行うようにしても良い。
【００３７】
【発明の効果】
以上説明したように、本出願に係る第１発明によれば、
１．赤外蛍光撮影と可視蛍光撮影とに共通のデュアルバンドのバリアフィルタを用いることができるため、バリアフィルターの切り替え機構を設けなくとも良く、構造が簡単になり、可視蛍光撮影と赤外蛍光撮影の切換操作を簡潔化できる一方、
２．エキサイタフィルターをＦＡＧ撮影とＩＣＧ撮影とで切り替えることにより、デュアルバンドのエキサイタフィルターを用いる場合に対し、被検者に照射する光を少なくすることができ、特にＩＣＧ撮影の場合には被検者に眩しさを感じさせないようにできるので、流涙疲労感が減少し、またアライメントが良好に保つことができ、よって画質をより向上させることが可能となる。
【００３８】
また、本出願に係る第２発明によれば更に、撮影用のフィルター手段とは異なる透過特性を有する観察用のフィルター手段を介して被検眼眼底を観察可能としたことにより、上述のような撮影に適したエキサイタフィルターとバリアフィルターとは別に、動画観察側に最適なフィルター設定ができる。
【図面の簡単な説明】
【図１】本発明の第１の実施例に係る配置を表わす図である。
【図２】フィルターの分光特性を表わす図である。
【図３】フィルターの分光特性を表わす図である。
【符号の説明】
１  観察用光源
２  コンデンサーレンズ
３  静止画撮影用光源
４  コンデンサーレンズ
５  ミラー
６  リング状開口絞り
７  リレーレンズ
８ａ  ＦＡＧ撮影用のエキサイターフィルター
８ｂ  ＩＣＧ撮影用のエキサイターフィルター
９  リレーレンズ
１０  穴あきミラー
１１  対物レンズ
１２  可動レンズ
１３  撮影レンズ
１４  跳ね上げミラー
１５  ミラー
１６  フィールドレンズ
１７  レンズ
１８  静止画撮影用の第１のバリアフィルター
１９  動画観察用の第２のバリアフィルター
２０  静止画撮影用の第１のカメラ
２１  動画観察用の第２のカメラ
２２、２３  モード選択スイッチ
２４  アライメント用モニター
２５  撮影スイッチ
２６  制御用回路
２７  再生用モニタ
【図１】
0003584084.tif 000002
【図２】
0003584084.tif 000003
【図３】
0003584084.tif 000004